(57)【要約】【課題】システムを構成する機器・装置の設置作業の効率性及び正確性を向上させ、各機器・各装置に適した情報を提示することが可能な装置設置システム等を提供する。【解決手段】第１端末装置７は、設置場所毎に設けられる場所コードラベル１１を読み取り場所コード７５を取得してサーバ５に送信し、サーバ５は、場所コード７５に基づいて固有コード１０１を作成して第２端末装置９に送信し、第２端末装置９は、固有コード１０１に基づいて固有コードラベル１０３を表示する。第１端末装置７は、第２端末装置９が表示する固有コードラベル１０３を読み取り固有コード１０１を取得してサーバ５に送信し、サーバ５は、作成した固有コード１０１と第１端末装置７から送信された固有コード１０１とを照合して一致した場合、第２端末装置９に設置場所に応じた所定の設定情報７３を抽出・編集した上で送信し、第２端末装置９は、設定情報７３に基づいて設定を行う。【選択図】図１０
2006323562.tif 000002
【特許請求の範囲】
【請求項１】
所定の場所に設置される端末装置の管理を行う装置設置システムであって、
サーバと前記サーバにネットワークを介して接続される第１端末装置と第２端末装置とを具備し、
前記第１端末装置は、前記第２端末装置の設置場所毎に設けられる場所コード標識を読み取り場所コードを取得して前記サーバに送信し、
前記サーバは、前記場所コードに基づいて固有コードを作成して前記第２端末装置に送信し、
前記第２端末装置は、前記固有コードに基づいて固有コード標識を表示し、
さらに、
前記第１端末装置は、前記第２端末装置が表示する固有コード標識を読み取り固有コードを取得して前記サーバに送信し、
前記サーバは、前記作成した固有コードと前記第１端末装置から送信された固有コードとを照合して一致した場合、前記第２端末装置に前記設置場所に応じた所定の設定情報を送信し、
前記第２端末装置は、前記設定情報に基づいて設定を行うことを特徴とする装置設置システム。
【請求項２】
所定の場所に設置される端末装置の管理を行う装置設置システムであって、
サーバと前記サーバにネットワークを介して接続される第１端末装置と第２端末装置とを具備し、
前記第１端末装置は、前記第２端末装置の設置場所毎に設けられる場所コード標識を読み取り場所コードを取得して前記サーバに送信し、
前記サーバは、前記場所コードに基づいて固有コードを作成して前記第２端末装置に送信し、
前記第２端末装置は、前記固有コードに基づいて固有コード標識を表示し、
さらに、
前記第１端末装置は、前記第２端末装置が表示する固有コード標識を読み取り固有コードを取得して前記サーバに送信し、
前記サーバは、前記作成した固有コードと前記第１端末装置から送信された固有コードとを照合して一致した場合、前記第２端末装置に前記設置場所で提示可能な提示情報を送信し、
前記第２端末装置は、前記提示情報に基づいて情報提示を行うことを特徴とする請求項１に記載の装置設置システム。
【請求項３】
所定の場所で使用される端末装置の管理を行う装置設置システムであって、
サーバと前記サーバにネットワークを介して接続される第１端末装置とを具備し、
前記第１端末装置は、使用場所毎に設けられる場所コード標識を読み取り場所コードを取得して前記サーバに送信し、
前記サーバは、前記第１端末装置に前記場所コードを返信すると共に前記使用場所で提示可能な提示情報を送信し、
さらに、
前記第１端末装置は、前記サーバから返信された場所コードと前記場所コード標識を読み取り取得した場所コードとを照合して一致した場合、前記提示情報に基づいて情報提示を行うことを特徴とする装置設置システム。
【発明の詳細な説明】
【技術分野】
【０００１】
本発明は、各種機器及び各種装置の設置場所や各機器の設定内容を間違いなく行い、不適切な場所に設置された各種機器及び各種装置への情報提供を防止する装置設置システムに関する。
【背景技術】
【０００２】
従来、画面表示能力等の性能が異なる複数の異機種の端末を組み合わせてシステムを構成した場合に各端末に対して適切な情報を提供する情報端末システムが提案されている（例えば、［特許文献１］参照。）。この情報端末システムでは、各端末は、その端末の発信機種を表す識別情報が付加された所定の要求をサーバ装置へ送信し、当該要求に付加されている発信機種を表す識別情報に基づいて、その端末へ送信すべき送信内容、送信内容の形式、送信内容の容量等を決定する。サーバ装置は、決定した結果に基づいて、要求元の端末へ送信すべき情報を作成し、作成した情報を要求元の端末へ送信する。
【０００３】
【特許文献１】特開２００４−３０２８４８号公報
【発明の開示】
【発明が解決しようとする課題】
【０００４】
しかしながら、［特許文献１］が示す情報端末システムは、各端末の機種あるいは発信者の識別情報に基づいて当該端末に送信すべき情報を作成するが、設置場所に基づく設定や設置場所に基づく提供情報の作成を行うことができないという問題点がある。
例えば、各種機器あるいは各種装置を所定の設置場所に搬入し梱包を解いて設定を行う場合、各設置場所毎に個別に設定内容を入力し設定を行う必要があり、労力的負担が増大するという問題点がある。また、設置場所を取り違えたり、設定内容を誤って入力してしまう可能性があるという問題点がある。
【０００５】
また、病院内では医療情報を利用する機器・装置が増加し、医療情報システムを構成する装置の設置場所が多くなる。従って、各機器・各装置の設置作業の効率化と設定誤りを防止する必要があるという問題点がある。また、各機器・各装置毎に提供する情報の許可及び制限を行う必要があるという問題点がある。
【０００６】
本発明は、以上の問題点に鑑みてなされたものであり、システムを構成する機器・装置の設置作業の効率性及び正確性を向上させ、各機器・各装置に適した情報を提示することが可能な装置設置システム等を提供することを目的とする。
【課題を解決するための手段】
【０００７】
前述した目的を達成するために第１の発明は、所定の場所に設置される端末装置の管理を行う装置設置システムであって、サーバと前記サーバにネットワークを介して接続される第１端末装置と第２端末装置とを具備し、前記第１端末装置は、前記第２端末装置の設置場所毎に設けられる場所コード標識を読み取り場所コードを取得して前記サーバに送信し、前記サーバは、前記場所コードに基づいて固有コードを作成して前記第２端末装置に送信し、前記第２端末装置は、前記固有コードに基づいて固有コード標識を表示し、さらに、前記第１端末装置は、前記第２端末装置が表示する固有コード標識を読み取り固有コードを取得して前記サーバに送信し、前記サーバは、前記作成した固有コードと前記第１端末装置から送信された固有コードとを照合して一致した場合、前記第２端末装置に前記設置場所に応じた所定の設定情報を送信し、前記第２端末装置は、前記設定情報に基づいて設定を行うことを特徴とする装置設置システムである。
【０００８】
設置場所は、設置対象の第２端末装置を設置する場所であり、例えば、各診療科、各診療室等である。
場所コードは、設置場所を識別する識別コードである。
場所コード標識は、場所コードに関する情報を内包するラベル等の標識であり、例えば、バーコード、二次元バーコードである。例えば、バーコードリーダ等の読取装置を場所コードラベルにかざすことにより、場所コードを取得することができる。
固有コードは、場所コード、受信日時等に基づいて作成される識別コードである。
【０００９】
第１端末装置は、設置場所毎に設けられる場所コード標識を読み取り場所コードを取得してサーバに送信する。サーバは、場所コードに基づいて固有コードを作成して第２端末装置に送信する。第２端末装置は、固有コードに基づいて固有コード標識を表示する。続いて、第１端末装置は、第２端末装置が表示する固有コード標識を読み取り固有コードを取得してサーバに送信する。サーバは、作成した固有コードと第１端末装置から送信された固有コードとを照合して一致した場合、第２端末装置に設置場所に応じた所定の設定情報を送信する。第２端末装置は、設定情報に基づいて設定を行う。
【００１０】
第１の発明では、設置場所が妥当かを確認して各機器・各装置の設定を行うために設置場所に固定の場所コード標識を設置する。そして、この場所コード標識を読み取ることにより設置場所固有の識別コードを識別し、さらに、設定時に再度設置場所と設定対象装置とを確認し設定内容をチェックすることができる。多数の機器・装置の設置場所や設定内容を間違いなく効率的に行うことができる。
【００１１】
第２の発明は、所定の場所に設置される端末装置の管理を行う装置設置システムであって、サーバと前記サーバにネットワークを介して接続される第１端末装置と第２端末装置とを具備し、前記第１端末装置は、前記第２端末装置の設置場所毎に設けられる場所コード標識を読み取り場所コードを取得して前記サーバに送信し、前記サーバは、前記場所コードに基づいて固有コードを作成して前記第２端末装置に送信し、前記第２端末装置は、前記固有コードに基づいて固有コード標識を表示し、さらに、前記第１端末装置は、前記第２端末装置が表示する固有コード標識を読み取り固有コードを取得して前記サーバに送信し、前記サーバは、前記作成した固有コードと前記第１端末装置から送信された固有コードとを照合して一致した場合、前記第２端末装置に前記設置場所で提示可能な提示情報を送信し、前記第２端末装置は、前記提示情報に基づいて情報提示を行うことを特徴とする請求項１に記載の装置設置システムである。
【００１２】
第１端末装置は、設置場所毎に設けられる場所コード標識を読み取り場所コードを取得してサーバに送信する。サーバは、場所コードに基づいて固有コードを作成して第２端末装置に送信する。第２端末装置は、固有コードに基づいて固有コード標識を表示する。続いて、第１端末装置は、第２端末装置が表示する固有コード標識を読み取り固有コードを取得してサーバに送信する。サーバは、作成した固有コードと第１端末装置から送信された固有コードとを照合して一致した場合、第２端末装置に設置場所で提示可能な提示情報（医療情報等）を送信する。第２端末装置は、提示情報に基づいて情報提示を行う。
【００１３】
第２の発明では、設置場所が妥当かを確認して情報の表示を行うので、不適切な場所に設置された機器・装置における情報を表示を防止できる。
尚、設置機器・設置装置に操作部を設けず、許可された人が固有に保持する装置より操作を行うようにして表示する情報を指定・制限するようにしてもよい。
【００１４】
第３の発明は、所定の場所で使用される端末装置の管理を行う装置設置システムであって、サーバと前記サーバにネットワークを介して接続される第１端末装置とを具備し、前記第１端末装置は、使用場所毎に設けられる場所コード標識を読み取り場所コードを取得して前記サーバに送信し、前記サーバは、前記第１端末装置に前記場所コードを返信すると共に前記使用場所で提示可能な提示情報を送信し、さらに、前記第１端末装置は、前記サーバから返信された場所コードと前記場所コード標識を読み取り取得した場所コードとを照合して一致した場合、前記提示情報に基づいて情報提示を行うことを特徴とする装置設置システムである。
【００１５】
第１端末装置は、使用場所毎に設けられる場所コード標識を読み取り場所コードを取得してサーバに送信する。サーバは、第１端末装置に場所コードを返信すると共に使用場所で提示可能な提示情報を送信する。続いて、第１端末装置は、サーバから返信された場所コードと場所コード標識を読み取り取得した場所コードとを照合して一致した場合、提示情報に基づいて情報提示を行う。
【００１６】
第３の実施の形態では、場所を自由に移動させることができる装置間でデータの連動を誤りなく行えることができる。また、間違った装置にデータが表示されないようにすることができる。
【発明の効果】
【００１７】
本発明によれば、システムを構成する機器・装置の設置作業の効率性及び正確性を向上させ、各機器・各装置に適した情報を提示することが可能な装置設置システム等を提供することができる。
【発明を実施するための最良の形態】
【００１８】
以下、添付図面を参照しながら、本発明に係る装置設置システム等の好適な実施形態について詳細に説明する。なお、以下の説明及び添付図面において、略同一の機能構成を有する構成要素については、同一の符号を付することにより重複説明を省略することにする。
【００１９】
最初に、図１を参照しながら、本発明の実施の形態に係る装置設置システム１の構成について説明する。
図１は、装置設置システム１の構成図である。
【００２０】
装置設置システム１は、サーバ５、少なくとも１つの第１端末装置７、少なくとも１つの第２端末装置９等がネットワーク３を介して接続されて構成される。
装置設置システム１は、第１端末装置７及び第２端末装置に提供する各種医療情報、第２端末装置の設置及び設定を管理するシステムである。
【００２１】
サーバ５は、医療施設に設置されるコンピュータやワークステーション等である。サーバ５は、第１端末装置７及び第２端末装置に提供する医療情報に関する処理や第２端末装置の設置及び設定に関する処理を行う。
【００２２】
第１端末装置７は、医療施設の各診療科１３（内科、外科等）において利用する情報処理装置であり、例えば、情報携帯端末（ＰＤＡ）、携帯電話、ＰＨＳである。第１端末装置７は、診療科１３においてネットワーク３に接続してサーバ５に対して各種医療情報の入力及び取得を行う。
尚、各種医療情報の入力及び取得に関しては、第２端末装置を介して行うこともできる。例えば、第１端末装置の表示部に代えて第２端末装置の表示部を利用することもできる。
【００２３】
第２端末装置９は、医療施設の各診療科１３に設置される情報処理装置であり、例えば、コンピュータである。第２端末装置９は、ネットワーク３に接続してサーバ５に対して各種医療情報の入力及び取得を行う。
尚、各種医療情報の入力及び取得に関しては、第１端末装置を介して行うこともできる。例えば、第２端末装置の入力部に代えて第１端末装置の入力部を利用することもできる。
【００２４】
ネットワーク３は、医療施設内の院内ＬＡＮネットワークを想定しているが、院内ネットワークのほか、セキュリティの確立されたインターネット等であってもよい。また、携帯電話システム等の公衆通信網や、無線ＬＡＮシステム等の無線通信網、専用回線等の有線による通信網を組み合わせたものであってもよい。
【００２５】
場所コードラベル１１は、診療室１３を特定する場所コードを示すラベルである。場所コードラベル１１は、文字等の視認可能な情報形態である必要はなく、第１端末装置７の読取部４７により場所コードを読取可能な情報形態であればよい。場所コードラベル１１は、例えば、バーコードラベル、二次元バーコードラベルである。
【００２６】
尚、「コード」は、サーバ５、第１端末装置７、第２端末装置９等において処理される情報やネットワーク３を介して送受信される情報自体を示し、「コードラベル」は、「コード」に関する情報を内包する情報形態（例えば、バーコードラベル、二次元バーコード）を示す。
【００２７】
次に、図２を参照しながらサーバ５のハードウェア構成について説明する。
図２は、サーバ５のハードウェア構成図である。
サーバ５は、ＣＰＵ（Ｃｅｎｔｒａｌ  Ｐｒｏｃｅｓｓｉｎｇ  Ｕｎｉｔ）等の制御部１５、ネットワークに接続するモデムやＬＡＮボード等の通信部１７、ＣＲＴや液晶表示装置等の表示部１９、キーボード、マウス、マイク等の入力部２１、フレキシブルディスクやＣＤ−ＲＯＭ等のメディアの読み込み書き込みを行うメディア入出力部２３、ＲＯＭ２７（Ｒｅａｄ  Ｏｎｌｙ  Ｍｅｍｏｒｙ）及びＲＡＭ２９（Ｒａｎｄｏｍ  Ａｃｃｅｓｓ  Ｍｅｍｏｒｙ）及びＨＤＤ３１（Ｈａｒｄ  Ｄｉｓｃ  Ｄｒｉｖｅ）等を備える記憶部２５等がそれぞれシステムバス３３を介して接続されて構成される。尚、ＨＤＤ２７が保持する内容については、後述する。
【００２８】
サーバ５の制御部１５は、装置設置システム１を実行するプログラムや各種データ等を前述の記憶部２５のＲＯＭ２７あるいはＨＤＤ３１からＲＡＭ２９にロードして処理を実行する。
【００２９】
次に、図３を参照しながら、第１端末装置７のハードウェア構成について説明する。
図３は、第１端末装置７のハードウェア構成図である。
第１端末装置７は、ＣＰＵ（Ｃｅｎｔｒａｌ  Ｐｒｏｃｅｓｓｉｎｇ  Ｕｎｉｔ）等の制御部３５、ネットワークに接続するモデムやＬＡＮボード等の通信部３７、ＣＲＴや液晶表示装置等の表示部３９、キーボード、マウス、マイク等の入力部４１、フレキシブルディスクやＣＤ−ＲＯＭ等のメディアの読み込み書き込みを行うメディア入出力部４３、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）及びＨＤＤ（Ｈａｒｄ  Ｄｉｓｃ  Ｄｒｉｖｅ）等を備える記憶部４５、読取部４７等がそれぞれシステムバス４９を介して接続されて構成される。
尚、記憶部４５には、第１端末装置７を識別するための第１端末装置コード８８が保持される。
【００３０】
読取部４７は、各診療科１３等に設けられるコードラベルあるいは第２端末装置９の表示部５５に表示されるコードラベルを読み取る装置である。読取部４７は、例えば、バーコードラベルを読み取るバーコードリーダ、二次元バーコードラベルを読み取る撮像装置（カメラ）である。また、小型ＩＣチップを利用した非接触型の読取方法を用いてもよい。この小型ＩＣチップは、ラベル等に埋め込まれる。尚、小型ＩＣチップは、例えば、ＲＦＩＤチップ（ｒａｄｉｏ  ｆｒｅｑｕｅｎｃｙ  ｉｄｅｎｔｉｆｉｃａｔｉｏｎ）、ミューチップ（登録商標）（μ−ｃｈｉｐ）である。
【００３１】
第１端末装置７の制御部３５は、プログラムや各種データ等を前述の記憶部４５のＲＯＭあるいはＨＤＤからＲＡＭにロードして処理を実行する。
尚、第１端末装置７の表示部３９を設けずに、第２端末装置９の表示部５５において表示処理を行うように構成することもできる。
【００３２】
次に、図４を参照しながら、第２端末装置９のハードウェア構成について説明する。
図４は、第２端末装置９のハードウェア構成図である。
第２端末装置９は、ＣＰＵ（Ｃｅｎｔｒａｌ  Ｐｒｏｃｅｓｓｉｎｇ  Ｕｎｉｔ）等の制御部５１、ネットワークに接続するモデムやＬＡＮボード等の通信部５３、ＣＲＴや液晶表示装置等の表示部５５、キーボード、マウス、マイク等の入力部５７、フレキシブルディスクやＣＤ−ＲＯＭ等のメディアの読み込み書き込みを行うメディア入出力部５９、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）及びＨＤＤ（Ｈａｒｄ  Ｄｉｓｃ  Ｄｒｉｖｅ）等を備える記憶部６１等がそれぞれシステムバス６３を介して接続されて構成される。
【００３３】
第２端末装置９の制御部５１は、プログラムや各種データ等を前述の記憶部６１のＲＯＭあるいはＨＤＤからＲＡＭにロードして処理を実行する。
尚、第２端末装置９の入力部５７を設けずに、第１端末装置７の入力部４１から入力処理を行うように構成することもできる。
【００３４】
図５は、サーバ５の記憶部２５が保持する対応情報６５の一態様を示す図である。
対応情報６５は、場所コード７５、設置装置７７、利用可能装置７９、抽出・編集情報［医療情報］８１、抽出・編集情報［設定情報］８３等の各フィールドを有する。
【００３５】
場所コード７５は、診療室１３の場所を特定するコードである。場所コード７５は、例えば、「Ｐ００１」である。
設置装置７７は、場所コード７５が示す診療室１３に設置済あるいは設置予定の第２端末装置９を示す。設置装置７７は、例えば、第２端末装置９の識別コード「Ｂ００１」である。
利用可能装置７９は、場所コード７５が示す診療室１３で利用可能な第１端末装置７を示す。利用可能装置７９は、例えば、第１端末装置７の識別コード「Ａ００１〜Ａ００５」である。
【００３６】
抽出・編集情報［医療情報］８１は、医療情報７１の抽出・編集に関する情報、レイアウト、提供可否等を示す情報である。
抽出・編集情報［設定情報］８３は、設定情報７３の抽出・編集に関する情報、第２端末装置９における場所依存の設定情報を示す。
【００３７】
サーバ５は、抽出・編集情報［医療情報］８１を参照して、記憶部２５から取り出した医療情報７１の抽出及び編集を行う。
また、サーバ５は、抽出・編集情報［設定情報］８３を参照して、記憶部２５から取り出した設定情報７３の抽出及び編集を行う。
【００３８】
図６は、第１端末装置情報６７の一態様を示す図である。
第１端末装置情報６７は、第１端末装置コード８５、第１端末装置宛先８７等の各フィールドを有する。
第１端末装置コード８５は、第１端末装置７を特定する識別コードである。第１端末装置コード８５は、例えば、「Ａ００１」である。
第１端末装置宛先８７は、第１端末装置７のネットワーク上の所在を示す。第１端末装置宛先８７は、例えば、ＩＰアドレスである。サーバ５は、第１端末装置宛先８７を参照して、第１端末装置７との通信を行う。
【００３９】
図７は、第２端末装置情報６９の一態様を示す図である。
第２端末装置情報６９は、第２端末装置コード８９、第２端末装置宛先９１等の各フィールドを有する。
第２端末装置コード８９は、第２端末装置９を特定する識別コードである。第２端末装置コード８９は、例えば、「Ｂ００１」である。
第２端末装置宛先９１は、第２端末装置９のネットワーク上の所在を示す。第２端末装置宛先９１は、例えば、ＩＰアドレスである。サーバ５は、第２端末装置宛先９１を参照して、第２端末装置９との通信を行う。
【００４０】
図８は、医療情報７１の一態様を示す図である。
医療情報７１は、項目９３、データ９５等の各フィールドを有する。
項目９３は、各種医療情報の分類項目を示す。
データ９５は、各種医療情報の分類項目に対応するデータあるいは当該データへの参照先を示す。
【００４１】
図９は、設定情報７３の一態様を示す図である。
設定情報７３は。項目９７、データ９９等の各フィールドを有する。
項目９７は、設定情報に関する項目を示す。
データ９９は、各設定項目に対応するデータあるいは当該データへの参照先を示す。
【００４２】
次に、図１０及び図１１を参照しながら、第１の実施の形態における、装置設置システム１の動作について説明する。
図１０は、装置設置システム１ａの動作の流れを示す図である。
図１１は、装置設置システム１ａの動作を示すフローチャートである。
【００４３】
第１端末装置（設置場所確認用装置）と第２端末装置（設置対象装置）とこれらの装置との間でデータ送受ができるサーバとで構成し、次の機能を有する。
第１端末装置（設置場所確認用装置）は、識別コードの読取機能を有し、読み取った識別コードや連携要求データをサーバに送信する機能を有する。この第１端末装置は、設置場所に固定された設置場所コードや第２端末装置（設置対象装置）に表示される識別コードとを読み取る。
サーバは、識別コードの生成機能を有する。また、サーバは、端末装置から送信された場所固定の識別コードをもとに該当する設定情報を編集送信する機能を有する。尚、サーバは、自身が作成した固有識別コードと端末装置から取得した固有識別コードとを比較し一致していれば、端末装置に編集した設定情報を提供する。
第２端末装置（設置対象装置）は、識別コードの表示機能を有する。
【００４４】
第１の実施の形態では、装置設置システム１ａは、第１端末装置７を用いて診療室１３に設置される第２端末装置９の設定を行う。尚、設置場所である診療室１３に応じて設定が行われる。また、設定後は、第１端末装置７を用いずに、第２端末装置９単体で利用可能としてもよいし、第２の実施の形態で後述するように、第１端末装置７を介して第２端末装置９を利用可能としてもよい。
【００４５】
第１端末装置７の読取部４７は、診療科１３に備え付けられる場所コードラベル１１を読み取り、場所コード７５を取得する（ステップ１００１）。
第１端末装置７の制御部３５は、サーバ５に読取部４７により取得した場所コード７５及び記憶部４５に保持する自身の第１端末装置コード８８を送信する（ステップ１００２）。
【００４６】
サーバ５の制御部１５は、対応情報６５を参照し、受信した場所コード７５及び第１端末装置コード８８に対応する第２端末装置９を選択する（ステップ１００３）。
サーバ５の制御部１５は、場所コード７５及び第１端末装置コード８８に基づいて固有コード１０１を作成する（ステップ１００４）。尚、第１端末装置コード８８に加えて受信日時等に基づいて固有コードを作成するようにしてもよい。
サーバ５の制御部１５は、ステップ１００３の処理で選択した第２端末装置９に固有コード１０１を送信する（ステップ１００５）。
【００４７】
第２端末装置９の表示部５５は、固有コード１０１を示す固有コードラベル１０３を表示する（ステップ１００６）。
第１端末装置７の読取部４７は、第２端末装置９の表示部５５に表示される固有コードラベル１０３を読み取り、固有コード１０１を取得する（ステップ１００７）。
第１端末装置７の制御部３５は、サーバ５に読取部４７により取得した固有コード１０１及び記憶部４５に保持する第１端末装置コード８８と共に、第２端末装置９における設定要求を行う（ステップ１００８）。尚、第１端末装置７の制御部３５は、操作者の入力内容に基づいて、設定項目等を指定して設定要求を行う。
【００４８】
サーバ５の制御部１５は、ステップ１００４及びステップ１００５において作成及び送信した固有コード１０１と第１端末装置７から受信した固有コード１０１との照合を行い（ステップ１００９）、ステップ１００２において受信した第１端末装置コード８８とステップ１００８において受信した第１端末装置コード８８との照合を行う（ステップ１０１０）。
【００４９】
ステップ１００９及びステップ１０１０における照合が成功した場合（ステップ１００９のＹｅｓ及びステップ１０１０のＹｅｓ）、サーバ５の制御部１５は、設定要求の際に指定された設定項目等に基づいて記憶部２５の設定情報７３の抽出・編集を行い（ステップ１０１１）、抽出・編集した設定情報７３をステップ１００３の処理で選択した第２端末装置９に送信する（ステップ１０１２）。
第２端末装置９の制御部５１は、受信した設定情報７３に基づいて設定を行う（ステップ１０１３）。
【００５０】
以上の過程を経て、第１端末装置は、設置場所毎に設けられる場所コードラベルを読み取り場所コードを取得してサーバに送信し、サーバは、場所コードに基づいて固有コードを作成して第２端末装置に送信し、第２端末装置は、固有コードに基づいて固有コードラベルを表示し、さらに、第１端末装置は、第２端末装置が表示する固有コードラベルを読み取り固有コードを取得してサーバに送信し、サーバは、作成した固有コードと第１端末装置から送信された固有コードとを照合して一致した場合、第２端末装置に設置場所に応じた所定の設定情報を抽出・編集した上で送信し、第２端末装置は、設定情報に基づいて設定を行う。
【００５１】
このように、第１の実施の形態では、設置場所が妥当かを確認して各装置の設定を行うために設置場所に固定の場所コードラベルを設置する。そして、この場所コードラベルを読み取ることにより設置場所固有の識別コードを識別し、さらに、設定時に再度設置場所と設定対象装置とを確認し設定内容をチェックすることができる。
【００５２】
病院内の情報システムでは、ネットワークを介して多数の装置が設置される。設置場所は、各診療科の診察室や待合室等であり、情報機器も数百台になることも多い。第１の実施の形態では、これらの機器・装置の設置場所や設定内容を間違いなく効率的に行うことができる。
【００５３】
次に、図１２及び図１３を参照しながら、第２の実施の形態における、装置設置システム１の動作について説明する。
図１２は、装置設置システム１ｂの動作の流れを示す図である。
図１３は、装置設置システム１ｂの動作を示すフローチャートである。
【００５４】
第１端末装置（情報表示依頼用装置）と第２端末装置（情報表示装置）とこれらの装置との間でデータ送受ができるサーバとで構成し、次の機能を有する。
第１端末装置（情報表示依頼用装置）は、識別コードの読取機能を有し、読み取った識別コードや連携要求データをサーバに送信する機能を有する。この第１端末装置は、設置場所に固定された設置場所コードや第２端末装置（情報表示装置）に表示される識別コード等を読み取る。
サーバは、識別コードの生成機能を有する。また、サーバは、端末装置から送信された場所固定の識別コードをもとに該当する表示情報を編集送信する機能を有する。尚、サーバは、自身が作成した固有識別コードと端末装置から取得した固有識別コードとを比較し一致していれば、端末装置に編集した表示情報を提供する。
第２端末装置（情報表示装置）は、識別コードの表示機能を有する。
【００５５】
第２の実施の形態では、装置設置システム１ｂは、第１端末装置７を用いて診療室１３に設置される第２端末装置９への医療情報の提供を行う。
診療室１３での利用が認められている第１端末装置７は、医療情報の表示を要求し、サーバ５は、当該診療室１３において表示が認められている医療情報を提供する。
尚、第２端末装置９に入力部５７を設けず、第１端末装置７に表示部３９を設けないようにしてもよい。すなわち、第１端末装置７の入力部４１により第２端末装置９の操作を行い、第２端末装置９の表示部５５に医療情報を表示させるようにしてもよい。
【００５６】
第１端末装置７の読取部４７は、診療科１３に備え付けられる場所コードラベル１１を読み取り、場所コード７５を取得する（ステップ２００１）。
第１端末装置７の制御部３５は、サーバ５に読取部４７により取得した場所コード７５及び記憶部４５に保持する自身の第１端末装置コード８８を送信する（ステップ２００２）。
【００５７】
サーバ５の制御部１５は、対応情報６５を参照し、受信した場所コード７５及び第１端末装置コード８８に対応する第２端末装置９を選択する（ステップ２００３）。
サーバ５の制御部１５は、場所コード７５及び第１端末装置コード８８に基づいて固有コード１０１を作成する（ステップ２００４）。尚、第１端末装置コード８８に加えて受信日時等に基づいて固有コードを作成するようにしてもよい。
サーバ５の制御部１５は、ステップ２００３の処理で選択した第２端末装置９に固有コード１０１を送信する（ステップ２００５）。
【００５８】
第２端末装置９の表示部５５は、固有コード１０１を示す固有コードラベル１０３を表示する（ステップ２００６）。
第１端末装置７の読取部４７は、第２端末装置９の表示部５５に表示される固有コードラベル１０３を読み取り、固有コード１０１を取得する（ステップ２００７）。
第１端末装置７の制御部３５は、サーバ５に読取部４７により取得した固有コード１０１及び記憶部４５に保持する第１端末装置コード８８と共に、第２端末装置９における表示要求を行う（ステップ２００８）。尚、第１端末装置７の制御部３５は、操作者の入力内容に基づいて、表示項目等を指定して表示要求を行う。
【００５９】
サーバ５の制御部１５は、ステップ２００４及びステップ２００５において作成及び送信した固有コード１０１と第１端末装置７から受信した固有コード１０１との照合を行い（ステップ２００９）、ステップ２００２において受信した第１端末装置コード８８とステップ２００８において受信した第１端末装置コード８８との照合を行う（ステップ２０１０）。
【００６０】
ステップ２００９及びステップ２０１０における照合が成功した場合（ステップ２００９のＹｅｓ及びステップ２０１０のＹｅｓ）、サーバ５の制御部１５は、表示要求の際に指定された表示項目等に基づいて記憶部２５の医療情報７１の抽出・編集を行い（ステップ２０１１）、抽出・編集した医療情報７１をステップ２００３の処理で選択した第２端末装置９に送信する（ステップ２０１２）。
第２端末装置９の表示部５５は、受信した医療情報７１に基づいて医療情報画面を表示する（ステップ２０１３）。
【００６１】
以上の過程を経て、第１端末装置は、設置場所毎に設けられる場所コードラベルを読み取り場所コードを取得してサーバに送信し、サーバは、場所コードに基づいて固有コードを作成して第２端末装置に送信し、第２端末装置は、固有コードに基づいて固有コード標識を表示し、さらに、第１端末装置は、第２端末装置が表示する固有コード標識を読み取り固有コードを取得してサーバに送信し、サーバは、作成した固有コードと第１端末装置から送信された固有コードとを照合して一致した場合、第２端末装置に設置場所で提示可能な所定の医療情報を抽出・編集した上で送信し、第２端末装置は、医療情報に基づいて医療情報画面を表示する。
【００６２】
このように、第２の実施の形態では、設置場所が妥当かを確認して情報の表示を行うので、不適切な場所に設置された機器・装置における情報を表示を防止できる。
また、病院関係者以外の人にも情報提供するために院内に設置した情報表示装置を自由に操作させないように操作部を設けず、許可された人が固有に保持する装置より表示する情報を指定することができる。
【００６３】
次に、図１４及び図１５を参照しながら、第３の実施の形態における、装置設置システム１の動作について説明する。
図１４は、装置設置システム１ｃの動作の流れを示す図である。
図１５は、装置設置システム１ｃの動作を示すフローチャートである。
【００６４】
データ連動させる端末装置とこれらの装置とのデータ送受ができるサーバとで構成し、次の機能を有する。
少なくとも1台の端末装置は、識別コードの読取機能を有し、読み取った識別コードや連携要求データをサーバに送信する機能を有する。この端末装置は、使用場所に固定された設置場所コード等を読み取る。
サーバは、識別コードの生成機能を有する。
端末装置は、自身が読み取った場所固定の固有識別コードとサーバを介して取得した場所固定の固有識別コードとを比較し一致していれば、サーバから受信した情報を編集表示する機能を有する。
【００６５】
第３の実施の形態では、装置設置システム１ｃは、診療室１３において第１端末装置７に医療情報を提供する。
診療室１３での利用が認められている第１端末装置７は、医療情報の表示を要求し、サーバ５は、当該診療室１３において表示が認められている医療情報を提供する。
【００６６】
第１端末装置７の読取部４７は、診療科１３に備え付けられる場所コードラベル１１を読み取り、場所コード７５を取得する（ステップ３００１）。
第１端末装置７の制御部３５は、サーバ５に読取部４７により取得した場所コード７５及び記憶部４５に保持する自身の第１端末装置コード８８と共に、表示要求を送信する（ステップ３００２）。尚、第１端末装置７の制御部３５は、操作者の入力内容に基づいて、表示項目等を指定して表示要求を行う。
【００６７】
サーバ５の制御部１５は、表示要求の際に指定された表示項目等に基づいて記憶部２５の医療情報７１の抽出・編集を行う（ステップ３００３）。
サーバ５の制御部１５は、ステップ３００２において第１端末装置７から受診した場所コード７５及び第１端末装置コード８８と共に、ステップ３００３において抽出・編集した医療情報７１を第１端末装置７に送信する（ステップ３００４）。
【００６８】
第１端末装置７の読取部４７は、再度、診療科１３に備え付けられる場所コードラベル１１を読み取り、場所コード７５を取得する（ステップ３００５）。
第１端末装置７の制御部３５は、ステップ３００５において再度取得した場所コード７５とサーバ５から受信した場所コード７５との照合を行い（ステップ３００６）、記憶部４５に保持する自身の第１端末装置コード８８とステップ３００４において受信した第１端末装置コード８８との照合を行う（ステップ３００７）。
【００６９】
ステップ３００６及びステップ３００７における照合が成功した場合（ステップ３００６のＹｅｓ及びステップ３００７のＹｅｓ）、第１端末装置７の表示部３９は、ステップ３００４において受信した医療情報７１に基づいて医療情報画面を表示する（ステップ３００８）。
ステップ３００６あるいはステップ３００７における照合が失敗した場合（ステップ３００６のＮｏあるいはステップ３００７のＮｏ）、第１端末装置７の表示部３９は、警告情報（アラーム）画面を表示する。また、第１端末装置７の制御部３５は、サーバ５にも警告情報（アラーム）を送る（ステップ３００８）。
【００７０】
尚、ステップ３００３及びステップ３００４の処理のタイミングについては、特に限定されない。ステップ３００１及びステップ３００２、ステップ３００５〜ステップ３００７及びステップ３００９の処理を経た後に、第１端末装置７からサーバ５に対して表示要求を行い、サーバ５側においてステップ３００３〜ステップ３００４の処理を経て、第１端末装置７側でステップ３００８の処理を行うようにしてもよい。
【００７１】
以上の過程を経て、第１端末装置は、使用場所毎に設けられる場所コード標識を読み取り場所コードを取得してサーバに送信し、サーバは、第１端末装置に場所コードを返信すると共に使用場所で提示可能な提示情報を送信し、さらに、第１端末装置は、サーバから返信された場所コードと場所コード標識を読み取り取得した場所コードとを照合して一致した場合、提示情報に基づいて情報提示を行う。
【００７２】
このように、第３の実施の形態では、場所を自由に移動させることができる装置間でデータの連動を誤りなく行えることができる。また、間違った装置にデータが表示されないようにすることができる。
【００７３】
尚、第１の実施の形態〜第３の実施の形態を適宜組み合わせて装置設置システムを構成することができることは言うまでもない。
また、病院内の各診療科（内科、外科等）を連携するシステムとして構成することもできるし、院内及び院外を問わず地域医療センタと各診療所等とをネットワークで連携するシステムとして構成することもできる。
【００７４】
また、端末装置の設置場所あるいは使用場所に関しては、診療科に限られない。例えば、医療施設内の任意の場所に場所コードラベルを設け、各端末装置の設置場所あるいは使用場所とすることができる。
また、場所コードラベルの設置及び表示に関しては、視認可能なバーコードラベル等の標識のみならず、発信装置を用いてもよい。この場合、設置場所毎に発信装置を設けて発信装置から赤外線、無線等により局所的に場所コードに関する情報を局所的に発信し、発信情報を端末装置側で受信し場所コードを取得する。また、端末装置側に発信装置を設けてサーバから送信される固有コードあるいは場所コード等に基づいて固有コードあるいは場所コードに関する情報を発信する。
【００７５】
以上、添付図面を参照しながら、本発明に係る装置設置システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７６】
【図１】装置設置システム１の構成図
【図２】サーバ５のハードウェア構成図
【図３】第１端末装置７のハードウェア構成図
【図４】第２端末装置９のハードウェア構成図
【図５】サーバ５の記憶部２５が保持する対応情報６５の一態様を示す図
【図６】第１端末装置情報６７の一態様を示す図
【図７】第２端末装置情報６９の一態様を示す図
【図８】医療情報７１の一態様を示す図
【図９】設定情報７３の一態様を示す図
【図１０】装置設置システム１ａの動作の流れを示す図
【図１１】装置設置システム１ａの動作を示すフローチャート
【図１２】装置設置システム１ｂの動作の流れを示す図
【図１３】装置設置システム１ｂの動作を示すフローチャート
【図１４】装置設置システム１ｃの動作の流れを示す図
【図１５】装置設置システム１ｃの動作を示すフローチャート
【符号の説明】
【００７７】
１………装置設置システム
３………ネットワーク
５………サーバ
７………第１端末装置
９………第２端末装置
１１………場所コードラベル
１３………診療科
１５、３５、５１………制御部
１９、３９、５５………表示部
２５、４５、６１………記憶部
４７………読取部
６５………対応情報
６７………第１端末装置情報
６９………第２端末装置情報
７１………医療情報
７３………設定情報
【図１】
2006323562.tif 000003
【図２】
2006323562.tif 000004
【図３】
2006323562.tif 000005
【図４】
2006323562.tif 000006
【図５】
2006323562.tif 000007
【図６】
2006323562.tif 000008
【図７】
2006323562.tif 000009
【図８】
2006323562.tif 000010
【図９】
2006323562.tif 000011
【図１０】
2006323562.tif 000012
【図１１】
2006323562.tif 000013
【図１２】
2006323562.tif 000014
【図１３】
2006323562.tif 000015
【図１４】
2006323562.tif 000016
【図１５】
2006323562.tif 000017